(57)【特許請求の範囲】
【請求項１】
無線ＬＡＮ（Ｌｏｃａｌ  Ａｒｅａ  Ｎｅｔｗｏｒｋ）において複数のＳＴＡ（ｓｔａｔｉｏｎ）にデータを送信する方法であって、
ＡＰ（ａｃｃｅｓｓ  ｐｏｉｎｔ）が、複数のサブチャネルフォーマットＰＰＤＵ（ｐｈｙｓｉｃａｌ  ｌａｙｅｒ  ｐｒｏｔｏｃｏｌ  ｄａｔａ  ｕｎｉｔ）を含むＰＰＤＵを生成するステップであって、
前記複数のサブチャネルフォーマットＰＰＤＵは、複数のサブチャネル帯域を介して送信され、
前記複数のサブチャネルフォーマットＰＰＤＵの各々は、シグナルフィールドとＭＩＭＯ送信のための少なくとも一つのトレーニングフィールドとを含み、
前記少なくとも一つのトレーニングフィールドの個数は、前記複数のサブチャネル帯域の周波数帯域の各々に割り当てられる空間的ストリームの個数の最大値に基づいて決定され、
サブチャネルフォーマットＰＰＤＵの各々は、前記ＭＩＭＯ送信のための同じ個数のトレーニングフィールドを有し、
前記シグナルフィールドは前記少なくとも一つのトレーニングフィールドの前記個数を指示し、
前記少なくとも一つのトレーニングフィールドの前記個数は、１，２，４，６，８のうち一つに決定される、ステップと、
前記ＡＰが前記ＰＰＤＵを前記複数のＳＴＡに送信するステップと、
を含む、方法。
【請求項２】
前記シグナルフィールドは、グループ識別子情報、帯域幅情報及びＮｓｔｓ情報をさらに指示し、
前記グループ識別子情報は、前記複数のＳＴＡを指示するための識別子情報を含み、
前記帯域幅情報は、前記複数のサブチャネルフォーマットＰＰＤＵの各々に割り当てられたチャネル帯域に対する情報を含み、
前記Ｎｓｔｓ情報は、前記複数のサブチャネルフォーマットＰＰＤＵの各々のための前記空間的ストリームの個数に対する情報を含む、請求項１に記載の方法。
【請求項３】
前記複数のサブチャネルフォーマットＰＰＤＵの各々は、ＰＳＤＵ（ＰＬＣＰ  ｓｅｒｖｉｃｅ  ｄａｔａ  ｕｎｉｔ）を含み、
前記ＰＳＤＵの送信のために使われるガードインターバルは、ＬＧＩ（ｌｏｎｇ  ｇｕａｒｄ  ｉｎｔｅｒｖａｌ）、ＳＧＩ（ｓｈｏｒｔ  ｇｕａｒｄ  ｉｎｔｅｒｖａｌ）及びＧＩ（ｇｕａｒｄ  ｉｎｔｅｒｖａｌ）組合せのうち一つであり、
前記ＧＩ組合せは、ＤＧＩ（ｄｏｕｂｌｅ  ｇｕａｒｄ  ｉｎｔｅｒｖａｌ）と、前記ＬＧＩ及び前記ＳＧＩの間の一つのＧＩとの組合せである、請求項１に記載の方法。
【請求項４】
前記ＧＩは、前記ＰＳＤＵの送信のための全体ＯＦＤＭシンボルでＰＩＦＳ（ＰＣＦ（ｐｏｉｎｔ  ｃｏｏｒｄｉｎａｔｉｏｎ  ｆｕｎｃｔｉｏｎ）ｉｎｔｅｒ  ｆｒａｍｅ  ｓｙｍｂｏｌ）間隔に対応する複数のＯＦＤＭシンボルのうち少なくとも一つのＯＦＤＭシンボルで使われ、
前記ＤＧＩは、前記全体ＯＦＤＭシンボルのうち前記少なくとも一つのＯＦＤＭシンボルを除外した残りのＯＦＤＭシンボルで使われる、請求項３に記載の方法。
【請求項５】
無線ＬＡＮ（Ｌｏｃａｌ  Ａｒｅａ  Ｎｅｔｗｏｒｋ）において複数のＳＴＡ（ｓｔａｔｉｏｎ）にデータを送信するＡＰ（ａｃｃｅｓｓ  ｐｏｉｎｔ）であって、
前記ＡＰは、
無線信号を送信または受信するよう構成されるＲＦ（ｒａｄｉｏ  ｆｒｅｑｕｅｎｃｙ）部と、
前記ＲＦ部と選択的に連結されるプロセッサと、を含み、
前記プロセッサは、
複数のサブチャネルフォーマットＰＰＤＵ（ｐｈｙｓｉｃａｌ  ｌａｙｅｒ  ｐｒｏｔｏｃｏｌ  ｄａｔａ  ｕｎｉｔ）を含むＰＰＤＵを生成し、
前記複数のサブチャネルフォーマットＰＰＤＵは、複数のサブチャネル帯域を介して送信され、
前記複数のサブチャネルフォーマットＰＰＤＵの各々は、シグナルフィールドとＭＩＭＯ送信のための少なくとも一つのトレーニングフィールドとを含み、
前記少なくとも一つのトレーニングフィールドの個数は、前記複数のサブチャネル帯域の周波数帯域の各々に割り当てられる空間的ストリームの個数の最大値に基づいて決定され、
サブチャネルフォーマットＰＰＤＵの各々は、前記ＭＩＭＯ送信のための同じ個数のトレーニングフィールドを有し、
前記シグナルフィールドは前記少なくとも一つのトレーニングフィールドの前記個数を指示し、
前記少なくとも一つのトレーニングフィールドの前記個数は、１，２，４，６，８のうち一つに決定され、
前記ＰＰＤＵを前記複数のＳＴＡに送信するよう構成される、ＡＰ。
【請求項６】
前記シグナルフィールドは、グループ識別子情報、帯域幅情報及びＮｓｔｓ情報をさらに指示し、
前記グループ識別子情報は、前記複数のＳＴＡを指示するための識別子情報を含み、
前記帯域幅情報は、前記複数のサブチャネルフォーマットＰＰＤＵの各々に割り当てられたチャネル帯域に対する情報を含み、
前記Ｎｓｔｓ情報は、前記複数のサブチャネルフォーマットＰＰＤＵの各々のための前記空間的ストリームの個数に対する情報を含む、請求項５に記載のＡＰ。
【請求項７】
前記複数のサブチャネルフォーマットＰＰＤＵの各々は、ＰＳＤＵ（ＰＬＣＰ  ｓｅｒｖｉｃｅ  ｄａｔａ  ｕｎｉｔ）を含み、
前記ＰＳＤＵの送信のために使われるガードインターバルは、ＬＧＩ（ｌｏｎｇ  ｇｕａｒｄ  ｉｎｔｅｒｖａｌ）、ＳＧＩ（ｓｈｏｒｔ  ｇｕａｒｄ  ｉｎｔｅｒｖａｌ）及びＧＩ（ｇｕａｒｄ  ｉｎｔｅｒｖａｌ）組合せのうち一つであり、
前記ＧＩ組合せは、ＤＧＩ（ｄｏｕｂｌｅ  ｇｕａｒｄ  ｉｎｔｅｒｖａｌ）と、前記ＬＧＩ及び前記ＳＧＩの間の一つのＧＩとの組合せである、請求項５に記載のＡＰ。
【請求項８】
前記ＧＩは、前記ＰＳＤＵの送信のための全体ＯＦＤＭシンボルでＰＩＦＳ（ＰＣＦ（ｐｏｉｎｔ  ｃｏｏｒｄｉｎａｔｉｏｎ  ｆｕｎｃｔｉｏｎ）ｉｎｔｅｒ  ｆｒａｍｅ  ｓｙｍｂｏｌ）間隔に対応する複数のＯＦＤＭシンボルのうち少なくとも一つのＯＦＤＭシンボルで使われ、
前記ＤＧＩは、前記全体ＯＦＤＭシンボルのうち前記少なくとも一つのＯＦＤＭシンボルを除外した残りのＯＦＤＭシンボルで使われる、請求項７に記載のＡＰ。
【発明の詳細な説明】
【技術分野】
【０００１】
本発明は、無線通信に関し、より詳しくは、無線ＬＡＮ（ｗｉｒｅｌｅｓｓ  ｌｏｃａｌ  ａｒｅａ  ｎｅｔｗｏｒｋ、ＷＬＡＮ）において複数の端末にデータを送信する方法及び装置に関する。
【背景技術】
【０００２】
ＩＥＥＥ（ｉｎｓｔｉｔｕｔｅ  ｏｆ  ｅｌｅｃｔｒｉｃａｌ  ａｎｄ  ｅｌｅｃｔｒｏｎｉｃ  ｅｎｇｉｎｅｅｒｓ）８０２．１１のＷＮＧ  ＳＣ（Ｗｉｒｅｌｅｓｓ  Ｎｅｘｔ  Ｇｅｎｅｒａｔｉｏｎ  Ｓｔａｎｄｉｎｇ  Ｃｏｍｍｉｔｔｅｅ）は、次世代無線ＬＡＮ（ｗｉｒｅｌｅｓｓ  ｌｏｃａｌ  ａｒｅａ  ｎｅｔｗｏｒｋ）を中長期的に議論するアドホック委員会（ｃｏｍｍｉｔｔｅｅ）である。
【０００３】
２０１３年３月ＩＥＥＥ会議で、ブロードコムは、無線ＬＡＮ標準化ヒストリに基づいて、ＩＥＥＥ８０２．１１ａｃ標準が完成される２０１３年上半期にＩＥＥＥ８０２．１１ａｃ以後の次世代ＷＬＡＮに対する議論が必要であると提示した。技術的な必要性及び標準化の必要性に基づいて、２０１３年３月ＩＥＥＥ会議で、オレンジとブロードコムが提案し、大部分のメンバが同意して次世代ＷＬＡＮのためのスタディグループ創設に対するモーションが通過した。
【０００４】
別名ＨＥＷ（Ｈｉｇｈ  Ｅｆｆｉｃｉｅｎｃｙ  ＷＬＡＮ）と呼ばれる次世代無線ＬＡＮスタディグループで主に議論されるＨＥＷの範囲（ｓｃｏｐｅ）は、１）２．４ＧＨｚ及び５ＧＨｚ帯域で８０２．１１ＰＨＹ（ｐｈｙｓｉｃａｌ）層とＭＡＣ（ｍｅｄｉｕｍ  ａｃｃｅｓｓ  ｃｏｎｔｒｏｌ）層の向上、２）スペクトラム効率性（ｓｐｅｃｔｒｕｍ  ｅｆｆｉｃｉｅｎｃｙ）と領域スループット（ａｒｅａ  ｔｈｒｏｕｇｈｐｕｔ）を高めるもの、３）干渉ソースが存在する環境、密集した異種ネットワーク（ｈｅｔｅｒｏｇｅｎｅｏｕｓ  ｎｅｔｗｏｒｋ）環境及び高いユーザ負荷が存在する環境のような実際の室内環境及び室外環境で性能を向上させるもの、などがある。即ち、ＨＥＷは、既存無線ＬＡＮシステムと同様に、２．４ＧＨｚと５ＧＨｚで動作する。主に考慮されるシナリオは、ＡＰ（ａｃｃｅｓｓ  ｐｏｉｎｔ）とＳＴＡ（ｓｔａｔｉｏｎ）が多い密集環境であり、このような状況でスペクトラム効率（ｓｐｅｃｔｒｕｍ  ｅｆｆｉｃｉｅｎｃｙ）と空間スループット（ａｒｅａ  ｔｈｒｏｕｇｈｐｕｔ）改善を議論する。特に、室内環境だけでなく、既存ＷＬＡＮであまり考慮されていなかった室外環境での実質的な性能改善にも関心を有する。
【０００５】
ＨＥＷでは、無線オフィス（ｗｉｒｅｌｅｓｓ  ｏｆｆｉｃｅ）、スマートホーム（ｓｍａｒｔ  ｈｏｍｅ）、スタジアム（Ｓｔａｄｉｕｍ）、ホットスポット（Ｈｏｔｓｐｏｔ）、ビル／アパート（ｂｕｉｌｄｉｎｇ／ａｐａｒｔｍｅｎｔ）のようなシナリオに関心が大きく、該当シナリオに基づいてＡＰとＳＴＡが多い密集環境でのシステム性能向上に対する議論が進行されている。
【０００６】
今後、ＨＥＷは、一つのＢＳＳ（ｂａｓｉｃ  ｓｅｒｖｉｃｅ  ｓｅｔ）での単一リンク性能向上よりは、ＯＢＳＳ（ｏｖｅｒｌａｐｐｉｎｇ  ｂａｓｉｃ  ｓｅｒｖｉｃｅ  ｓｅｔ）環境でのシステム性能向上及び室外環境性能改善、そしてセルラーオフローディングなどに対する議論が活発になると予想される。このようなＨＥＷの方向性は、次世代無線ＬＡＮが益々移動通信と類似の技術範囲を有するようになることを意味する。最近、スモールセル及びＤ２Ｄ（Ｄｉｒｅｃｔ−ｔｏ−Ｄｉｒｅｃｔ）通信領域で移動通信と無線ＬＡＮ技術が共に議論されている状況を考慮してみる時、ＨＥＷに基づく次世代無線ＬＡＮと移動通信の技術的及び事業的な融合は、一層活発になると予測される。
【発明の概要】
【発明が解決しようとする課題】
【０００７】
本発明の目的は、無線ＬＡＮにおいて複数の端末にデータを送信する方法を提供することである。
【０００８】
本発明の他の目的は、無線ＬＡＮにおいて複数の端末にデータを送信する装置を提供することである。
【課題を解決するための手段】
【０００９】
前述した本発明の目的を達成するための本発明の一側面による、無線ＬＡＮにおいて複数のＳＴＡ（ｓｔａｔｉｏｎ）にデータを送信する方法は、ＡＰ（ａｃｃｅｓｓ  ｐｏｉｎｔ）がＭＩＭＯ（ｍｕｌｔｉｐｌｅ  ｉｎｐｕｔ  ｍｕｌｔｉｐｌｅ  ｏｕｔｐｕｔ）−ＯＦＤＭＡ（ｏｒｔｈｏｇｏｎａｌ ｆｒｅｑｕｅｎｃｙ  ｄｉｖｉｓｉｏｎ  ｍｕｌｔｉｐｌｅ  ａｃｃｅｓｓ）フォーマットＰＰＤＵ（ＰＬＣＰ（ｐｈｙｓｉｃａｌ  ｌａｙｅｒ  ｃｏｎｖｅｒｇｅｎｃｅ  ｐｒｏｃｅｄｕｒｅ）ｐｒｏｔｏｃｏｌ  ｄａｔａ  ｕｎｉｔ）を生成するステップと、ＡＰが前記ＭＩＭＯ−ＯＦＤＭＡフォーマットＰＰＤＵを前記複数のＳＴＡに送信するステップと、を含み、前記ＭＩＭＯ−ＯＦＤＭＡフォーマットＰＰＤＵは、時間上に同期化された複数のサブチャネルフォーマットＰＰＤＵを含み、前記複数のサブチャネルフォーマットＰＰＤＵの各々は、複数のサブチャネル帯域の各々を介して前記複数のＳＴＡの各々に送信され、前記複数のサブチャネルフォーマットＰＰＤＵの各々に含まれているＭＩＭＯ送信のためのトレーニングフィールドの個数は、同じである。
【００１０】
前述した本発明の目的を達成するための本発明の他の側面による、無線ＬＡＮにおいて複数のＳＴＡ（ｓｔａｔｉｏｎ）にデータを送信するＡＰ（ａｃｃｅｓｓ  ｐｏｉｎｔ）は、無線信号を送信または受信するために実装されたＲＦ（ｒａｄｉｏ  ｆｒｅｑｕｅｎｃｙ）部と、前記ＲＦ部と選択的に連結されるプロセッサと、を含み、前記プロセッサは、ＭＩＭＯ（ｍｕｌｔｉｐｌｅ  ｉｎｐｕｔ  ｍｕｌｔｉｐｌｅ  ｏｕｔｐｕｔ）−ＯＦＤＭＡ（ｏｒｔｈｏｇｏｎａｌ ｆｒｅｑｕｅｎｃｙ  ｄｉｖｉｓｉｏｎ  ｍｕｌｔｉｐｌｅ  ａｃｃｅｓｓ）フォーマットＰＰＤＵ（ＰＬＣＰ（ｐｈｙｓｉｃａｌ  ｌａｙｅｒ  ｃｏｎｖｅｒｇｅｎｃｅ  ｐｒｏｃｅｄｕｒｅ）ｐｒｏｔｏｃｏｌ  ｄａｔａ  ｕｎｉｔ）を生成し、前記ＭＩＭＯ−ＯＦＤＭＡフォーマットＰＰＤＵを前記複数のＳＴＡに送信するように実装され、前記ＭＩＭＯ−ＯＦＤＭＡフォーマットＰＰＤＵは、時間上に同期化された複数のサブチャネルフォーマットＰＰＤＵを含み、前記複数のサブチャネルフォーマットＰＰＤＵの各々は、複数のサブチャネル帯域の各々を介して前記複数のＳＴＡの各々に送信され、前記複数のサブチャネルフォーマットＰＰＤＵの各々に含まれているＭＩＭＯ送信のためのトレーニングフィールドの個数は、同じである。
【発明の効果】
【００１１】
ＭＩＭＯ（ｍｕｌｔｉｐｌｅ  ｉｎｐｕｔ  ｍｕｌｔｉｐｌｅ  ｏｕｔｐｕｔ）−ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ  ａｃｃｅｓｓ）ベースのデータ送信方法を介して、ＩＥＥＥ（ｉｎｓｔｉｔｕｔｅ  ｏｆ  ｅｌｅｃｔｒｉｃａｌ  ａｎｄ  ｅｌｅｃｔｒｏｎｉｃｓ  ｅｎｇｉｎｅｅｒｓ）８０２．１１無線ＬＡＮにおいて、ＭＡＣ（ｍｅｄｉｕｍ  ａｃｃｅｓｓ  ｃｏｎｔｒｏｌ）層及び／またはＰＨＹ（ｐｈｙｓｉｃａｌ）層の効率性を高め、データスループット及び周波数効率を上げることができる。
【図面の簡単な説明】
【００１２】
【図１】無線ＬＡＮ（ｗｉｒｅｌｅｓｓ  ｌｏｃａｌ  ａｒｅａ  ｎｅｔｗｏｒｋ、ＷＬＡＮ）の構造を示す概念図である。
【図２】ＩＥＥＥ８０２．１１によりサポートされる無線ＬＡＮシステムの階層アーキテクチャを示す。
【図３】本発明の実施例によるＭＩＭＯ−ＯＦＤＭＡ送信をサポートするＰＰＤＵを示す概念図である。
【図４】本発明の実施例によるＭＩＭＯ−ＯＦＤＭＡのためのＰＰＤＵを示す概念図である。
【図５】本発明の実施例によるＭＩＭＯ−ＯＦＤＭＡをサポートするＰＰＤＵを示す概念図である。
【図６】本発明の実施例によるＨＥＷ−ＳＩＧフィールドを示す概念図である。
【図７】本発明の実施例によるＭＵ  ＭＩＭＯ−ＯＦＤＭＡ送信を示す概念図である。
【図８】本発明の実施例によるＭＵ  ＭＩＭＯ−ＯＦＤＭＡ送信を示す概念図である。
【図９】本発明の実施例によるコーディングフィールドを示す概念図である。
【図１０】本発明の実施例によるＰＳＤＵで使われるガードインターバルのタイプを示す概念図である。
【図１１】本発明の実施例によるＧＩ関連情報を示す概念図である。
【図１２】本発明の実施例が適用されることができる無線装置を示すブロック図である。
【発明を実施するための形態】
【００１３】
図１は、無線ＬＡＮ（ｗｉｒｅｌｅｓｓ  ｌｏｃａｌ  ａｒｅａ  ｎｅｔｗｏｒｋ、ＷＬＡＮ）の構造を示す概念図である。
【００１４】
図１の上段は、ＩＥＥＥ（ｉｎｓｔｉｔｕｔｅ  ｏｆ  ｅｌｅｃｔｒｉｃａｌ  ａｎｄ  ｅｌｅｃｔｒｏｎｉｃ  ｅｎｇｉｎｅｅｒｓ）８０２．１１のインフラストラクチャネットワーク（ｉｎｆｒａｓｔｒｕｃｔｕｒｅ  ｎｅｔｗｏｒｋ）の構造を示す。
【００１５】
図１の上段を参照すると、無線ＬＡＮシステムは、一つまたはそれ以上の基本サービスセット（Ｂａｓｉｃ  Ｓｅｒｖｉｃｅ  Ｓｅｔ、ＢＳＳ）１００、１０５を含むことができる。ＢＳＳ１００、１０５は、同期化に成功して互いに通信できるアクセスポイント（ａｃｃｅｓｓ  ｐｏｉｎｔ、ＡＰ）１２５及びＳＴＡ１（Ｓｔａｔｉｏｎ）１００−１のようなＡＰとＳＴＡのセットであり、特定領域を示す概念ではない。ＢＳＳ１０５は、一つのＡＰ１３０に一つ以上の結合可能なＳＴＡ１０５−１、１０５−２を含むこともできる。
【００１６】
インフラストラクチャＢＳＳは、少なくとも一つのＳＴＡ、分散サービス（Ｄｉｓｔｒｉｂｕｔｉｏｎ  Ｓｅｒｖｉｃｅ）を提供するＡＰ１２５、１３０及び複数のＡＰを連結させる分散システム（Ｄｉｓｔｒｉｂｕｔｉｏｎ  Ｓｙｓｔｅｍ、ＤＳ）１１０を含むことができる。
【００１７】
分散システム１１０は、複数のＢＳＳ１００、１０５を連結して拡張されたサービスセットであるＥＳＳ（ｅｘｔｅｎｄｅｄ  ｓｅｒｖｉｃｅ  ｓｅｔ）１４０を実現することができる。ＥＳＳ１４０は、一つまたは複数個のＡＰ１２５、２３０が分散システム１１０を介して連結されて構成された一つのネットワークを指示する用語として使われることができる。一つのＥＳＳ１４０に含まれるＡＰは、同じＳＳＩＤ（ｓｅｒｖｉｃｅ  ｓｅｔ  ｉｄｅｎｔｉｆｉｃａｔｉｏｎ）を有することができる。
【００１８】
ポータル（ｐｏｒｔａｌ）１２０は、無線ＬＡＮネットワーク（ＩＥＥＥ８０２．１１）と他のネットワーク（例えば、８０２．Ｘ）との連結を実行するブリッジの役割を遂行することができる。
【００１９】
図１の上段のようなインフラストラクチャネットワークでは、ＡＰ１２５、１３０間のネットワーク及びＡＰ１２５、１３０とＳＴＡ１００−１、１０５−１、１０５−２との間のネットワークが実現されることができる。しかし、ＡＰ１２５、１３０無しでＳＴＡ間にネットワークを設定して通信を実行することも可能である。ＡＰ１２５、１３０無しでＳＴＡ間にネットワークを設定して通信を実行するネットワークをアドホックネットワーク（Ａｄ−Ｈｏｃ  ｎｅｔｗｏｒｋ）または独立ＢＳＳ（ｉｎｄｅｐｅｎｄｅｎｔ  ｂａｓｉｃ  ｓｅｒｖｉｃｅ  ｓｅｔ）と定義する。
【００２０】
図１の下段は、独立ＢＳＳを示す概念図である。
【００２１】
図１の下段を参照すると、独立ＢＳＳ（ｉｎｄｅｐｅｎｄｅｎｔ  ＢＳＳ、ＩＢＳＳ）は、アドホックモードで動作するＢＳＳである。ＩＢＳＳは、ＡＰを含まないため、中央で管理機能を遂行するエンティティ（ｃｅｎｔｒａｌｉｚｅｄ  ｍａｎａｇｅｍｅｎｔ  ｅｎｔｉｔｙ）がない。即ち、ＩＢＳＳにおいて、ＳＴＡ１５０−１、１５０−２、１５０−３、１５５−１、１５５−２は、分散された方式（ｄｉｓｔｒｉｂｕｔｅｄ  ｍａｎｎｅｒ）で管理される。ＩＢＳＳにおいて、全てのＳＴＡ１５０−１、１５０−２、１５０−３、１５５−１、１５５−２は、移動ＳＴＡからなることができ、分散システムへの接続が許容されなくて自己完備的ネットワーク（ｓｅｌｆ−ｃｏｎｔａｉｎｅｄ  ｎｅｔｗｏｒｋ）を構築する。
【００２２】
ＳＴＡは、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１標準の規定に従う媒体接続制御（Ｍｅｄｉｕｍ  Ａｃｃｅｓｓ  Ｃｏｎｔｒｏｌ、ＭＡＣ）と無線媒体に対する物理層（Ｐｈｙｓｉｃａｌ  Ｌａｙｅｒ）インターフェースを含む任意の機能媒体であり、広義では、ＡＰと非ＡＰ  ＳＴＡ（Ｎｏｎ−ＡＰ  Ｓｔａｔｉｏｎ）を両方とも含む意味として使われることができる。
【００２３】
ＳＴＡは、移動端末（ｍｏｂｉｌｅ  ｔｅｒｍｉｎａｌ）、無線機器（ｗｉｒｅｌｅｓｓ  ｄｅｖｉｃｅ）、無線送受信ユニット（Ｗｉｒｅｌｅｓｓ  Ｔｒａｎｓｍｉｔ／Ｒｅｃｅｉｖｅ  Ｕｎｉｔ；ＷＴＲＵ）、ユーザ装置（Ｕｓｅｒ  Ｅｑｕｉｐｍｅｎｔ；ＵＥ）、移動局（Ｍｏｂｉｌｅ  Ｓｔａｔｉｏｎ；ＭＳ）、モバイル加入者ユニット（Ｍｏｂｉｌｅ  Ｓｕｂｓｃｒｉｂｅｒ  Ｕｎｉｔ）または単純にユーザ（ｕｓｅｒ）などの多様な名称で呼ばれることもある。
【００２４】
図２は、ＩＥＥＥ８０２．１１によりサポートされる無線ＬＡＮシステムの階層アーキテクチャを示す。
【００２５】
図２では、無線ＬＡＮシステムの階層アーキテクチャ（ＰＨＹ  ａｒｃｈｉｔｅｃｔｕｒｅ）を概念的に示す。
【００２６】
無線ＬＡＮシステムの階層アーキテクチャは、ＭＡＣ（ｍｅｄｉｕｍ  ａｃｃｅｓｓ  ｃｏｎｔｒｏｌ）副層（ｓｕｂｌａｙｅｒ）２２０、ＰＬＣＰ（Ｐｈｙｓｉｃａｌ  Ｌａｙｅｒ  Ｃｏｎｖｅｒｇｅｎｃｅ  Ｐｒｏｃｅｄｕｒｅ）副層２１０、及びＰＭＤ（Ｐｈｙｓｉｃａｌ  Ｍｅｄｉｕｍ  Ｄｅｐｅｎｄｅｎｔ）副層２００を含むことができる。ＰＬＣＰ副層２１０は、ＭＡＣ副層２２０がＰＭＤ副層２００に最小限の従属性を有して動作できるように実現される。ＰＭＤ副層２００は、複数のＳＴＡ間でデータを送受信するための送信インターフェースの役割を遂行することができる。
【００２７】
ＭＡＣ副層２２０、ＰＬＣＰ副層２１０、及びＰＭＤ副層２００は、概念的に管理部（ｍａｎａｇｅｍｅｎｔ  ｅｎｔｉｔｙ）を含むことができる。
【００２８】
ＭＡＣ副層２２０の管理部は、ＭＬＭＥ（ＭＡＣ  Ｌａｙｅｒ  Ｍａｎａｇｅｍｅｎｔ  Ｅｎｔｉｔｙ）２２５であり、物理層の管理部は、ＰＬＭＥ（ＰＨＹ  Ｌａｙｅｒ  Ｍａｎａｇｅｍｅｎｔ  Ｅｎｔｉｔｙ）２１５である。このような管理部は、階層管理動作が実行されるインターフェースを提供することができる。ＰＬＭＥ２１５は、ＭＬＭＥ２２５と連結されてＰＬＣＰ副層２１０及びＰＭＤ副層２００の管理動作（ｍａｎａｇｅｍｅｎｔ  ｏｐｅｒａｔｉｏｎ）を実行することができ、ＭＬＭＥ２２５もＰＬＭＥ２１５と連結されてＭＡＣ副層２２０の管理動作（ｍａｎａｇｅｍｅｎｔ  ｏｐｅｒａｔｉｏｎ）を実行することができる。
【００２９】
正確なＭＡＣ層動作が実行されるために、ＳＭＥ（ＳＴＡ  ｍａｎａｇｅｍｅｎｔ  ｅｎｔｉｔｙ）２５０が存在する。ＳＭＥ２５０は、階層に独立的な構成部として運用されることができる。ＭＬＭＥ、ＰＬＭＥ、及びＳＭＥは、プリミティブ（ｐｒｉｍｉｔｉｖｅ）に基づいて相互構成部間に情報を送信及び受信することができる。
【００３０】
各副層での動作を簡略に説明すると、下記の通りである。ＰＬＣＰ副層１１０は、ＭＡＣ副層２２０とＰＭＤ副層２００との間でＭＡＣ層の指示によってＭＡＣ副層２２０から受けたＭＰＤＵ（ＭＡＣ  Ｐｒｏｔｏｃｏｌ  Ｄａｔａ  Ｕｎｉｔ）をＰＭＤ副層２００に伝達し、またはＰＭＤ副層２００から来るフレームをＭＡＣ副層２２０に伝達する。ＰＭＤ副層２００は、ＰＬＣＰの下位層であり、無線媒体を介した複数のＳＴＡ間でのデータ送信及び受信を実行することができる。ＭＡＣ副層２２０が伝達したＭＰＤＵ（ＭＡＣ  ｐｒｏｔｏｃｏｌ  ｄａｔａ  ｕｎｉｔ）は、ＰＬＣＰ副層２１０でＰＳＤＵ（Ｐｈｙｓｉｃａｌ  Ｓｅｒｖｉｃｅ  Ｄａｔａ  Ｕｎｉｔ）という。ＭＰＤＵは、ＰＳＤＵと類似するが、複数のＭＰＤＵをアグリゲーション（ａｇｇｒｅｇａｔｉｏｎ）したＡ−ＭＰＤＵ（ａｇｇｒｅｇａｔｅｄ  ＭＰＤＵ）が伝達された場合、各々のＭＰＤＵとＰＳＤＵは、互いに異なる。
【００３１】
ＰＬＣＰ副層２１０は、ＰＳＤＵをＭＡＣ副層２２０から受けてＰＭＤ副層２００に伝達する過程で物理層の送受信機により必要な情報を含む付加フィールドを付ける。このとき、付加されるフィールドは、ＰＳＤＵにＰＬＣＰプリアンブル（ｐｒｅａｍｂｌｅ）、ＰＬＣＰヘッダ（ｈｅａｄｅｒ）、コンボリューションエンコーダをゼロ状態（ｚｅｒｏ  ｓｔａｔｅ）に返すのに必要なテールビット（Ｔａｉｌ  Ｂｉｔｓ）などである。ＰＬＣＰプリアンブルは、ＰＳＤＵが送信される前に受信機に同期化機能とアンテナダイバーシティを用意するようにする役割をすることができる。データフィールドは、ＰＳＤＵにパディングビット、スクランブラを初期化するためのビットシーケンスを含むサービスフィールド及びテールビットが付けられたビットシーケンスがエンコーディングされたコード化シーケンス（ｃｏｄｅｄ  ｓｅｑｕｅｎｃｅ）を含むことができる。このとき、エンコーディング方式は、ＰＰＤＵを受信するＳＴＡでサポートされるエンコーディング方式によって、ＢＣＣ（Ｂｉｎａｒｙ  Ｃｏｎｖｏｌｕｔｉｏｎａｌ  Ｃｏｄｉｎｇ）エンコーディングまたはＬＤＰＣ（Ｌｏｗ  Ｄｅｎｓｉｔｙ  Ｐａｒｉｔｙ  Ｃｈｅｃｋ）エンコーディングの中から一つが選択されることができる。ＰＬＣＰヘッダには送信するＰＰＤＵ（ＰＬＣＰ  Ｐｒｏｔｏｃｏｌ  Ｄａｔａ  Ｕｎｉｔ）に対する情報を含むフィールドが含まれることができる。
【００３２】
ＰＬＣＰ副層２１０では、ＰＳＤＵに前述したフィールドを付加してＰＰＤＵ（ＰＬＣＰ  Ｐｒｏｔｏｃｏｌ  Ｄａｔａ  Ｕｎｉｔ）を生成してＰＭＤ副層２００を経由して受信ステーションに送信し、受信ステーションは、ＰＰＤＵを受信してＰＬＣＰプリアンブル、ＰＬＣＰヘッダからデータ復元に必要な情報を得て復元する。
【００３３】
ＩＥＥＥ８０２．１１ａ標準をサポートする端末は、ＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）に基づいて５ＧＨｚの周波数帯域で２０ＭＨｚのチャネル帯域を介してデータを送信する時、最大５４Ｍｂｐｓの送信速度を有することができる。
【００３４】
ＩＥＥＥ８０２．１１ｎ標準をサポートする端末は、ＭＩＭＯ（ｍｕｌｔｉｐｌｅ  ｉｎｐｕｔ  ｍｕｌｔｉｐｌｅ  ｏｕｔｐｕｔ）に基づいて２．４ＧＨｚまたは５ＧＨｚの周波数帯域で２０ＭＨｚまたは４０ＭＨｚのチャネル帯域幅を介してデータを送信する時、最大６００Ｍｂｐｓの送信速度を有することができる。
【００３５】
ＩＥＥＥ８０２．１１ａｃ標準は、ＭＡＣ（ｍｅｄｉｕｍ  ａｃｃｅｓｓ  ｃｏｎｔｒｏｌ）ＳＡＰ（Ｓｅｒｖｉｃｅ  Ａｃｃｅｓｓ  Ｐｏｉｎｔ）層で１Ｇｂｐｓ以上のスループット（ｔｈｒｏｕｇｈｐｕｔ）を提供することを目標とする。ＩＥＥＥ８０２．１１ａｃ標準をサポートする無線ＬＡＮシステムは、Ｖｅｒｙ  Ｈｉｇｈ  Ｔｈｒｏｕｇｈｐｕｔ（ＶＨＴ）システムという用語で表現することもできる。ＭＡＣ  ＳＡＰ層で１Ｇｂｐｓ以上のスループットのために、ＶＨＴシステムは、８０／１６０ＭＨｚチャネル帯域、８個の空間的ストリーム（ｓｐａｔｉａｌ  ｓｔｒｅａｍ）（または、時空間ストリーム（ｓｐａｃｅ  ｔｉｍｅ  ｓｔｒｅａｍ））をサポートすることができる。ＶＨＴシステムにおいて、１６０ＭＨｚチャネル帯域幅、最大８個の空間的ストリーム、２５６ＱＡＭ（ｑｕａｄｒａｔｕｒｅ  ａｍｐｌｉｔｕｄｅ  ｍｏｄｕｌａｔｉｏｎ）、短いＧＩ（Ｓｈｏｒｔ  ＧＩ）がサポートされる場合、ＶＨＴシステムをサポートする端末は、物理層でデータを送信する時、最大６．９Ｇｂｐｓの送信速度を有することができる。
【００３６】
前述したスループットを満たすために、ＶＨＴシステムをサポートする複数のＶＨＴ  ＳＴＡは、ＡＰと通信時、同時に同じチャネルを介してデータを送信及び受信することができる。ＶＨＴ  ＡＰは、ＳＤＭＡ（Ｓｐａｃｅ  Ｄｉｖｉｓｉｏｎ  Ｍｕｌｔｉｐｌｅ  Ａｃｃｅｓｓ）またはＭＵ（ｍｕｌｔｉｐｌｅ  ｕｓｅｒ）−ＭＩＭＯに基づいて複数のＶＨＴ  ＳＴＡに同時にデータを送信することができる。即ち、複数のＶＨＴ  ＳＴＡとＶＨＴ  ＡＰとの間に同時にデータが同時に送信または受信されることができる。
【００３７】
現在高画質マルチメディア送信に対する需要の増加によって、非免許周波数帯域が拡大される傾向にある。また、既存の無線ＬＡＮ標準により使われるチャネル帯域幅によりＩＥＥＥ８０２．１１ａｃで連続する１６０ＭＨｚのチャネル帯域幅の確保は、容易ではない。したがって、ＩＥＥＥ８０２．１１ａｃでは、不連続チャネル（ｎｏｎ−ｃｏｎｔｉｇｕｏｕｓ  ｃｈａｎｎｅｌ）をアグリゲーション（ａｇｇｒｅｇａｔｉｏｎ）した１６０ＭＨｚのチャネル帯域幅が使われることもできる。
【００３８】
以下、本発明の実施例では、ＩＥＥＥ８０２．１１無線ＬＡＮにおけるＭＡＣ層及び／またはＰＨＹ層の効率性を高めるためのＭＩＭＯ（ｍｕｌｔｉｐｌｅ  ｉｎｐｕｔ  ｍｕｌｔｉｐｌｅ  ｏｕｔｐｕｔ）−ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ  ａｃｃｅｓｓ）ベースの送信方法に対して開示する。
【００３９】
例えば、無線ＬＡＮにおけるＭＩＭＯ−ＯＦＤＭＡ送信のために、複数のＳＴＡの各々に対して２０ＭＨｚのチャネル帯域が割り当てられることができる。即ち、ＡＰがＭＩＭＯ−ＯＦＤＭＡ送信を介して複数のＳＴＡにデータを送信する場合、複数のＳＴＡの各々は、割り当てられた２０ＭＨｚチャネル帯域を介して同時にＡＰにデータを送信することができる。
【００４０】
ＭＩＭＯ−ＯＦＤＭＡ送信のために使われる全体チャネル帯域で複数のＳＴＡの各々のために割り当てられるチャネル帯域は、サブチャネル帯域という用語で表現できる。ＭＩＭＯ−ＯＦＤＭＡ送信のために、全体８０ＭＨｚチャネル帯域のうち２０ＭＨｚチャネル帯域が複数のＳＴＡの各々に割り当てられる場合、２０ＭＨｚチャネル帯域がサブチャネル帯域である。
【００４１】
図３は、本発明の実施例によるＭＩＭＯ−ＯＦＤＭＡ送信をサポートするＰＰＤＵを示す概念図である。
【００４２】
図３を参照すると、ＭＩＭＯ−ＯＦＤＭＡ送信をサポートするＰＰＤＵは、レガシ（ｌｅｇａｃｙ）部分、ＨＥＷ部分、及びデータフィールドを含むことができる。以下、ＭＩＭＯ−ＯＦＤＭＡ送信をサポートするＰＰＤＵをＭＩＭＯ−ＯＦＤＭＡフォーマットＰＰＤＵという用語で表現できる。
【００４３】
レガシ部分は、Ｌ（ｌｅｇａｃｙ）−ＳＴＦ（ｓｈｏｒｔ  ｔｒａｉｎｉｎｇ  ｆｉｅｌｄ）３００、Ｌ−ＬＴＦ（ｌｏｎｇ  ｔｒａｉｎｉｎｇ  ｆｉｅｌｄ）３１０、及びＬ−ＳＩＧ（ｓｉｇｎａｌ）３２０を含むことができ、ＨＥＷ部分は、ＨＥＷ−ＳＩＧ３３０、Ｈ−ＳＴＦ３４０、Ｈ−ＬＴＦ３５０、及びＨ−ＳＩＧ３６０を含むことができる。
【００４４】
Ｌ−ＳＴＦ３００、Ｌ−ＬＴＦ３１０、Ｌ−ＳＩＧ３２０は、ＩＥＥＥ８０２．１１ｇ／ｎ／ａｃをサポートするレガシＳＴＡとの後方互換性（ｂａｃｋｗａｒｄ  ｃｏｍｐａｔｉｂｉｌｉｔｙ）のために送信されることができる。
【００４５】
Ｌ−ＳＴＦ３００は、短いトレーニングＯＦＤＭシンボル（ｓｈｏｒｔ  ｔｒａｉｎｉｎｇ  ｏｒｔｈｏｇｏｎａｌ  ｆｒｅｑｕｅｎｃｙ  ｄｉｖｉｓｉｏｎ  ｍｕｌｔｉｐｌｅｘｉｎｇ  ｓｙｍｂｏｌ）を含むことができる。Ｌ−ＳＴＦ３００は、フレーム探知（ｆｒａｍｅ  ｄｅｔｅｃｔｉｏｎ）、ＡＧＣ（ａｕｔｏｍａｔｉｃ  ｇａｉｎ  ｃｏｎｔｒｏｌ）、ダイバーシティ探知（ｄｉｖｅｒｓｉｔｙ  ｄｅｔｅｃｔｉｏｎ）、コース周波数／時間同期化（ｃｏａｒｓｅ  ｆｒｅｑｕｅｎｃｙ／ｔｉｍｅ  ｓｙｎｃｈｒｏｎｉｚａｔｉｏｎ）のために使われることができる。
【００４６】
Ｌ−ＬＴＦ３１０は、長いトレーニングＯＦＤＭシンボル（ｌｏｎｇ  ｔｒａｉｎｉｎｇ  ｏｒｔｈｏｇｏｎａｌ  ｆｒｅｑｕｅｎｃｙ  ｄｉｖｉｓｉｏｎ  ｍｕｌｔｉｐｌｅｘｉｎｇ  ｓｙｍｂｏｌ）を含むことができる。Ｌ−ＬＴＦ３１０は、ファイン周波数／時間同期化（ｆｉｎｅ  ｆｒｅｑｕｅｎｃｙ／ｔｉｍｅ  ｓｙｎｃｈｒｏｎｉｚａｔｉｏｎ）及びチャネル予測のために使われることができる。
【００４７】
Ｌ−ＳＩＧ３２０は、制御情報を送信するために使われることができる。Ｌ−ＳＩＧ３２０は、データ送信率（ｒａｔｅ）、データ長さ（ｌｅｎｇｔｈ）に対する情報を含むことができる。
【００４８】
Ｌ−ＳＩＧ３２０は、ＭＩＭＯ−ＯＦＤＭＡフォーマットＰＰＤＵに含まれるＰＳＤＵの送信デュレーションに対する情報を伝達してレガシＳＴＡからＰＳＤＵを保護することができる。
【００４９】
ＨＥＷ−ＳＩＧ３３０は、ＭＩＭＯ−ＯＦＤＭＡフォーマットＰＰＤＵに含まれるＰＳＤＵの受信のための情報を含むことができる。例えば、ＨＥＷ−ＳＩＧ３３０は、ＯＦＤＭユーザグループ割当（ＯＦＤＭＡ  ｕｓｅｒ  ｇｒｏｕｐ  ａｓｓｉｇｎｍｅｎｔ）に対する情報、サブチャネル割当（ｓｕｂ−ｃｈａｎｎｅｌ  ａｓｓｉｇｎｍｅｎｔ）に対する情報及び空間的ストリーム割当（ｓｐａｔｉａｌ  ｓｔｒｅａｍ  ａｓｓｉｇｎｍｅｎｔ）に対する情報を含むことができる。
【００５０】
Ｈ−ＳＴＦ（ｈｉｇｈ  ｅｆｆｉｃｉｅｎｃｙ  ｓｈｏｒｔ  ｔｒａｉｎｉｎｇ  ｆｉｅｌｄ）３４０は、ＭＩＭＯ−ＯＦＤＭＡフォーマットＰＰＤＵに含まれるＰＳＤＵをデコーディングするための周波数オフセット予測（ｆｒｅｑｕｅｎｃｙ  ｏｆｆｓｅｔ  ｅｓｔｉｍａｔｉｏｎ）、位相オフセット予測（ｐｈａｓｅ  ｏｆｆｓｅｔ  ｅｓｔｉｍａｔｉｏｎ）のために使われることができる。
【００５１】
Ｈ−ＬＴＦ（ｈｉｇｈ  ｅｆｆｉｃｉｅｎｃｙ  ｌｏｎｇ  ｔｒａｉｎｉｎｇ  ｆｉｅｌｄ）３５０は、ＭＩＭＯ−ＯＦＤＭＡフォーマットＰＰＤＵに含まれるＰＳＤＵをデコーディングするためのＭＩＭＯチャネル予測のために使われることができる。ＭＩＭＯ−ＯＦＤＭＡフォーマットＰＰＤＵに含まれるＨ−ＬＴＦ３５０の個数を決定する方法に対しては具体的に後述する。
【００５２】
以下の表１は、Ｎ＿｛ＳＴＳ、ｔｏｔａｌ｝、即ち、全体空間的ストリームの個数によるＭＩＭＯ−ＯＦＤＭＡフォーマットＰＰＤＵに含まれるＨ−ＬＴＦ３５０の個数を示す。
【００５３】
【表１】
0006310081.tif 000002
【００５４】
表１を参照すると、ＭＩＭＯ−ＯＦＤＭＡに基づいて送信される空間的ストリームの個数が１、２、３、４、５、６、７及び８の場合、必要なＨ−ＬＴＦの個数は、各々、１、２、４、４、６、６、８及び８に対応される。
【００５５】
Ｈ−ＬＴＦｓ３５０以後に送信されるＨ−ＳＩＧ３６０は、サブチャネルの各々を介して送信されるＰＳＤＵに対するユーザ特定情報（ＳＴＡの各々に対する個別情報）を含むことができる。例えば、Ｈ−ＳＩＧ３６０は、各々のＳＴＡでＰＳＤＵに対するデコーディングを実行するためのＭＣＳ（ｍｏｄｕｌａｔｉｏｎ  ａｎｄ  ｃｏｄｉｎｇ  ｓｃｈｅｍｅ）、ＧＩ（ｇｕａｒｄ  ｉｎｔｅｒｖａｌ）及びＰＳＤＵの長さに対する情報などを含むことができる。ＨＥＷ−ＳＩＧ３３０及び／またはＨ−ＳＩＧ３６０を指示する用語としてシグナルフィールドという用語を使用することができる。ＨＥＷ−ＳＩＧ３３０及びＨ−ＳＩＧ３６０に対しては具体的に後述する。
【００５６】
図３では、ＡＰが各々の２０ＭＨｚサブチャネル帯域を介してＳＴＡ１、ＳＴＡ２、ＳＴＡ３及びＳＴＡ４に対するデータ送信を実行する場合、ＭＩＭＯ−ＯＦＤＭＡフォーマットＰＰＤＵが開示される。ＭＩＭＯ−ＯＦＤＭＡフォーマットＰＰＤＵは、サブチャネルの各々を介して送信されるＰＰＤＵの集合である。以下、本発明の実施例では、サブチャネルの各々を介して送信されるＰＰＤＵをサブチャネルフォーマットＰＰＤＵという用語で表現する。複数のサブチャネルフォーマットＰＰＤＵは、時間的に同期化されてＭＩＭＯ−ＯＦＤＭＡフォーマットＰＰＤＵを構成することができる。
【００５７】
ＡＰは、ＳＴＡ１に第１のサブチャネル帯域を介して１個の空間的ストリームを使用して第１のサブチャネルフォーマットＰＰＤＵ３８０を送信することができる。
【００５８】
ＡＰは、ＳＴＡ２に第２のサブチャネル帯域を介して２個の空間的ストリームを使用して第２のサブチャネルフォーマットＰＰＤＵ３８５を送信することができる。
【００５９】
ＡＰは、ＳＴＡ３に第３のサブチャネル帯域を介して３個の空間的ストリームを使用して第３のサブチャネルフォーマットＰＰＤＵ３９０を送信することができる。
【００６０】
ＡＰは、ＳＴＡ４に第４のサブチャネル帯域を介して４個の空間的ストリームを使用して第４のサブチャネルフォーマットＰＰＤＵ３９５を送信することができる。
【００６１】
第１のサブチャネルフォーマットＰＰＤＵ３８０乃至第４のサブチャネルフォーマットＰＰＤＵ３９５は、時間的に同期化されてＭＩＭＯ−ＯＦＤＭＡフォーマットＰＰＤＵを構成することができる。
【００６２】
ＡＰは、８０ＭＨｚチャネル帯域幅を４個の２０ＭＨｚチャネル帯域幅に区分し、２０ＭＨｚチャネル帯域幅の各々を介して複数のＳＴＡの各々にサブチャネルフォーマットＰＰＤＵを送信することができる。また、ＡＰは、複数の空間的ストリームを使用してＳＴＡ２、ＳＴＡ３及びＳＴＡ４の各々に各々のサブチャネルフォーマットＰＰＤＵを送信することができる。既存のＰＰＤＵに含まれるＨ−ＬＴＦ３５０の個数は、ＡＰで送信される空間的ストリームの個数に基づいて決定されることができる。本発明の実施例によると、ＭＩＭＯ−ＯＦＤＭＡフォーマットＰＰＤＵにおいて、データフィールド（または、ＰＳＤＵ）３７０の前のフィールドまでの送信デュレーションを同じに設定することができる。したがって、各サブチャネル帯域を介して送信されるＭＩＭＯ−ＯＦＤＭＡフォーマットＰＰＤＵを構成するサブチャネルフォーマットＰＰＤＵに含まれるＨ−ＬＴＦ３５０の個数を同じに設定することができる。即ち、サブチャネルフォーマットＰＰＤＵに含まれるＨ−ＬＴＦ３５０の個数は、ＡＰからサブチャネル帯域を介して送信される空間的ストリームの個数と異なる。サブチャネルフォーマットＰＰＤＵに含まれるＨ−ＬＴＦ３５０の個数を設定する方法は、後述する。
【００６３】
図３では、各々のサブチャネルを介して送信されるＰＳＤＵのために使われるガードインターバルの大きさは全て同じである。
【００６４】
図４は、本発明の実施例によるＭＩＭＯ−ＯＦＤＭＡのためのＰＰＤＵを示す概念図である。
【００６５】
図４を参照すると、ＡＰがＳＴＡ１、ＳＴＡ２、ＳＴＡ３及びＳＴＡ４の各々に対して２０ＭＨｚサブチャネル帯域の各々を割り当てた場合を示す。図４では、各々の２０ＭＨｚサブチャネル帯域を介して送信されるデータフィールド（または、ＰＳＤＵ）４００を送信するためのＧＩが互いに異なる場合に対して開示する。
【００６６】
ＡＰが第１のサブチャネル帯域を介してＳＴＡ１に第１のサブチャネルフォーマットＰＰＤＵ４１０を送信し、第１のサブチャネルフォーマットＰＰＤＵのデータフィールドの送信のためのＧＩは、ダブルＧＩ（ｄｏｕｂｌｅ  ＧＩ）である。
【００６７】
ＡＰが第２のサブチャネル帯域を介してＳＴＡ２に第２のサブチャネルフォーマットＰＰＤＵ４２０を送信し、第２のサブチャネルフォーマットＰＰＤＵ４２０のデータフィールドの送信のためのＧＩは、短いＧＩ（ｓｈｏｒｔ  ＧＩ）である。
【００６８】
ＡＰが第３のサブチャネル帯域を介してＳＴＡ３に第３のサブチャネルフォーマットＰＰＤＵ４３０を送信し、第３のサブチャネルフォーマットＰＰＤＵ４３０のデータフィールドの送信のためのＧＩは、長いＧＩ（ｌｏｎｇ  ＧＩ）である。
【００６９】
ＡＰが第４のサブチャネル帯域を介してＳＴＡ４に第４のサブチャネルフォーマットＰＰＤＵ４４０を送信し、第４のサブチャネルフォーマットＰＰＤＵ４４０のデータフィールドの送信のためのＧＩは、長いＧＩである。
【００７０】
前述したように、ＭＩＭＯ−ＯＦＤＭＡ送信をサポートするＭＩＭＯ−ＯＦＤＭＡフォーマットＰＰＤＵの重要な特徴は、ＰＳＤＵ４００の送信時点が同じでなければならない。一般的に、Ｌ−ＬＴＦ、Ｌ−ＳＩＧ、ＨＥＷ−ＳＩＧ、Ｈ−ＳＴＦ、Ｈ−ＬＴＦ、Ｈ−ＳＩＧは、０．８ｕｓのデュレーションを有するＧＩを使用して４ｕｓのＯＦＤＭシンボル上で送信されることができる。
【００７１】
ＰＳＤＵ（または、データフィールド）４７０は、０．８ｕｓ（ＬＧＩ）、０．４ｕｓ（ＳＧＩ）、１．２ｕｓ（ＤＧＩ）等、多様なデュレーションのＧＩを使用してＯＦＤＭシンボル上で送信されることができる。
【００７２】
本発明の実施例によるＭＩＭＯ−ＯＦＤＭＡ送信では、各々のサブチャネル帯域を介して送信されるＰＳＤＵ４７０の送信時点及びＰＳＤＵ４７０の終了時点が同じに設定される必要がある。
【００７３】
前述したように、サブチャネル帯域の各々を介してＰＰＤＵを送信するための空間的ストリームの個数によって、Ｈ−ＬＴＦ４５０の個数が変わる。したがって、サブチャネル帯域幅の各々を介して送信されるサブチャネルフォーマットＰＰＤＵに含まれるＰＳＤＵ４７０の送信時点を同じに設定するためには、ＭＩＭＯ−ＯＦＤＭＡフォーマットＰＰＤＵに含まれる複数のサブチャネルフォーマットＰＰＤＵの各々のＨ−ＬＴＦ４５０の個数が同じに設定されることができる。
【００７４】
複数のサブチャネルフォーマットＰＰＤＵの各々に含まれるＨ−ＬＴＦ４５０の個数を同じに設定するための第１の方法として、複数のサブチャネル帯域の各々を介して送信されるサブチャネルフォーマットＰＰＤＵの送信のための空間的ストリームの個数が同じに設定されることができる。即ち、ＭＩＭＯ−ＯＦＤＭＡ送信を実行する時、サブチャネルフォーマットＰＰＤＵを送信するための空間的ストリームの個数は、常に同じに設定されることができる。このような方法を使用する場合、ＡＰがＭＩＭＯ−ＯＦＤＭＡ送信に基づいてデータを送信する時、受信ＳＴＡのうち特定ＳＴＡが他のＳＴＡより相対的に小さい数の空間的ストリームのみをサポートする場合、使用可能な空間的ストリームの個数に対する制限を受けることができる。
【００７５】
空間的ストリームでＨ−ＬＴＦ４５０の個数を同じに設定するための第２の方法として、ＰＰＤＵに含まれるＨ−ＬＴＦ４５０の個数は、サブチャネルフォーマットＰＰＤＵのための空間的ストリームの個数のうち最大値に基づいて設定されることができる。
【００７６】
即ち、サブチャネルフォーマットＰＰＤＵの送信のための実際の空間的ストリームの個数によってＨ−ＬＴＦ４５０の個数が決まらない。最も多い個数の空間的ストリームを介して送信されるサブチャネルフォーマットＰＰＤＵに含まれるＨ−ＬＴＦ４５０の個数を基準にして他のサブチャネル帯域幅で送信される他のサブチャネルフォーマットＰＰＤＵのＨ−ＬＴＦ４５０の個数が決定されることができる。複数のサブチャネルフォーマットＰＰＤＵでＰＳＤＵ４００の終了時点を同じに設定するための方法としてＯＦＤＭシンボル間の境界を合わせることができる。
【００７７】
図５は、本発明の実施例によるＭＩＭＯ−ＯＦＤＭＡをサポートするＰＰＤＵを示す概念図である。
【００７８】
図５を参照すると、ＡＰが複数のサブチャネル帯域幅の各々を介してＳＴＡ１、ＳＴＡ２、ＳＴＡ３、ＳＴＡ４の各々にサブチャネルフォーマットＰＰＤＵを送信することができる。
【００７９】
ＡＰが第１のサブチャネル帯域を介してＳＴＡ１に第１のサブチャネルフォーマットＰＰＤＵ５１０を送信し、第１のサブチャネルフォーマットＰＰＤＵ５１０は、１個の空間的ストリームを介して送信されることができる。
【００８０】
ＡＰが第２のサブチャネル帯域を介してＳＴＡ２に第２のサブチャネルフォーマットＰＰＤＵ５２０を送信し、第２のサブチャネルフォーマットＰＰＤＵ５２０は、２個の空間的ストリームを介して送信されることができる。
【００８１】
ＡＰが第３のサブチャネル帯域を介してＳＴＡ４に第３のサブチャネル帯域ＰＰＤＵ５３０を送信し、第３のサブチャネル帯域ＰＰＤＵ５３０は、３個の空間的ストリームを介して送信されることができる。
【００８２】
ＡＰが第４のサブチャネル帯域を介してＳＴＡ４に第４のサブチャネル帯域ＰＰＤＵ５４０を送信し、第４のサブチャネル帯域ＰＰＤＵ５４０は、４個の空間的ストリームを介して送信されることができる。
【００８３】
前述したように、最も多い個数の空間的ストリームを介して送信されるサブチャネルフォーマットＰＰＤＵに含まれるＨ−ＬＴＦ５５０の個数を基準にして他のサブチャネル帯域幅で送信される他のサブチャネルフォーマットＰＰＤＵのＨ−ＬＴＦ５５０の個数が決定されることができる。
【００８４】
図５のような場合、第４のサブチャネル帯域で４個の空間的ストリームを介して送信される第４のサブチャネルフォーマットＰＰＤＵ５４０に含まれる４個のＨ−ＬＴＦ５５０を基準にして他のサブチャネル帯域で送信される他のサブチャネルフォーマットＰＰＤＵ５１０、５２０、５３０に含まれるＨ−ＬＴＦ５５０の個数が決定されることができる。即ち、第１のサブチャネルフォーマットＰＰＤＵ５１０、第２のサブチャネルフォーマットＰＰＤＵ５２０、及び第３のサブチャネルフォーマットＰＰＤＵ５３０に含まれるＨ−ＬＴＦ５５０の個数が４個に設定されることができる。
【００８５】
このような方法に基づいて複数のサブチャネルの各々を介して送信される複数のサブチャネルフォーマットＰＰＤＵの送信開始時点が同じに設定されることができる。
【００８６】
複数のサブチャネル帯域を介して複数の空間的ストリームに基づいてＨ−ＬＴＦ５５０を重複送信する場合、複数のサブチャネル帯域を介して送信されるＨ−ＬＴＦ５５０間の直交性を保証するための行列が適用されることができる。
【００８７】
Ｈ−ＬＴＦ５５０間の直交性を保証するための行列は、時空間ドメイン上でＨ−ＬＴＦシーケンスに乗算される。以下の数式１は、Ｈ−ＬＴＦ５１０間の直交性を保証するための４×４行列及び８×８行列を示す。
【００８８】
【数１】
0006310081.tif 000003
【００８９】
数式１を参照すると、４×４行列（Ｐ４×４）は、図５のように４個のサブチャネル帯域を介して送信される４個のＨ−ＬＴＦ５５０の送信に適用されることができる。８×８行列（Ｐ８×８）は、８個のサブチャネル帯域を介して送信される８個のＨ−ＬＴＦの送信に適用されることができる。
【００９０】
ＭＩＭＯ−ＯＦＤＭＡ送信において、ＳＴＡの各々は、割り当てられたサブチャネル帯域を介して送信されるＰＳＤＵ５００をデコーディングするために、ＰＳＤＵ５００を送信する空間的ストリームの個数に対する情報を知らなければならない。
【００９１】
ＳＴＡがサブチャネル帯域を介して送信される空間的ストリームの個数を知る場合、空間的ストリームを介して送信されるサブチャネルフォーマットＰＰＤＵに含まれるＨ−ＬＴＦ５５０の個数を知ることができる。ＳＴＡは、サブチャネルフォーマットＰＰＤＵを介して受信したＨ−ＬＴＦ５５０に基づいてチャネル予測を実行し、ＰＰＤＵに対するデコーディングを実行することができる。
【００９２】
前述したように、実際の空間的ストリームの個数によって、Ｈ−ＬＴＦ５５０の個数が決まらずに、複数のサブチャネル帯域の各々を介して送信される複数のサブチャネルフォーマットＰＰＤＵのための空間的ストリームの個数のうち最大値により複数のサブチャネルフォーマットＰＰＤＵの各々に含まれるＨ−ＬＴＦ５５０の個数が決定されることができる。このような場合、ＳＴＡは、サブチャネルフォーマットＰＰＤＵのデコーディングのために割り当てられたサブチャネル帯域幅を介して送信されるサブチャネルフォーマットＰＰＤＵに含まれるＨ−ＬＴＦ５５０の個数を知るための追加情報が必要である。ＳＴＡがサブチャネルフォーマットＰＰＤＵに含まれるＨ−ＬＴＦ５５０の個数に対する情報を取得するためには多様な方法が使われることができる。
【００９３】
サブチャネルフォーマットＰＰＤＵに含まれるＨ−ＬＴＦ５５０の個数を伝達するための第１の方法として、ＡＰがＳＴＡにサブチャネルフォーマットＰＰＤＵを送信するために使用する実際の空間的ストリームの個数の外にサブチャネルフォーマットＰＰＤＵに含まれているＨ−ＬＴＦ５５０の個数に対する情報をＨＥＷ−ＳＩＧ５６０を介して送信することができる。即ち、ＨＥＷ−ＳＩＧ５６０は、サブチャネルフォーマットＰＰＤＵに含まれるＨ−ＬＴＦ５５０の個数に対する情報を含むことができる。
【００９４】
サブチャネルフォーマットＰＰＤＵに含まれるＨ−ＬＴＦ５５０の個数を伝達するための第２の方法として、ＡＰが複数のＳＴＡの各々に複数のサブチャネルフォーマットＰＰＤＵの各々を送信するために使用した実際の空間的ストリームの個数に対する情報をＨＥＷ−ＳＩＧ５６０を介して送信することができる。即ち、ＨＥＷ−ＳＩＧ５６０は、複数のＳＴＡの各々（または、サブチャネル帯域の各々）にサブチャネルフォーマットＰＰＤＵを送信するために使用した実際の空間的ストリームの個数に対する情報を含むことができる。ＳＴＡは、複数のＳＴＡの各々に複数のサブチャネルフォーマットＰＰＤＵの各々を送信するために使われた実際の空間的ストリームの個数に対する情報に基づいてＳＴＡに送信されるサブチャネルフォーマットＰＰＤＵに含まれるＨ−ＬＴＦ５５０の個数を知ることができる。具体的に、ＳＴＡは、ＳＴＡに送信されるサブチャネルフォーマットＰＰＤＵに含まれるＨ−ＬＴＦ５５０の個数をサブチャネル帯域の各々で使われる空間的ストリームの個数のうち最大値に基づいて決定することができる。
【００９５】
以下の表１は、ＨＥＷ−ＳＩＧ５６０に含まれる下位フィールドを示す。
【００９６】
【表２】
0006310081.tif 000004
【００９７】
以下の表２は、Ｈ−ＳＩＧ５７０に含まれる下位フィールドを示す。
【００９８】
【表３】
0006310081.tif 000005
【００９９】
Ｈ−ＳＩＧ５７０は、後述するＧＩタイプフィールド及びＧＩ明確化フィールドをさらに含むことができる。Ｈ−ＳＩＧ５７０とＨＥＷ−ＳＩＧ５６０は、一つのシグナルフィールドで実現されることもできる。また、Ｈ−ＳＩＧ５７０とＨＥＷ−ＳＩＧ５６０の各々に含まれる下位フィールドは、表１に例示されたＨＥＷ−ＳＩＧ５６０の下位フィールドと表２に例示されたＨ−ＳＩＧ５７０の下位フィールドとの多様な組合せである。
【０１００】
ＨＥＷ−ＳＩＧ５６０に含まれているグループ識別子（Ｇｒｏｕｐ  ＩＤ）フィールドは、ＳＴＡのグルーピングのためのグループ識別子情報を含むことができる。各々のＳＴＡは、ＡＰからグループ識別子フィールドを介してＳＴＡの各々に対するグループ識別子を受信することができる。ＳＴＡは、各々に対するグループ識別子に対応されるユーザ位置情報を取得することができる。
【０１０１】
【表４】
0006310081.tif 000006
【０１０２】
表３では、ＳＴＡがＡＰから受信したグループ識別子及びグループ識別子に対応されるユーザ位置に対して開示する。
【０１０３】
ＨＥＷ−ＳＩＧ５６０を介してＳＴＡのグループ識別子を受信したＳＴＡは、次のような動作を実行することができる。具体的な例として、ＳＴＡが受信したサブチャネルフォーマットＰＰＤＵでＨＥＷ−ＳＩＧ５６０のグループ識別子の値が１２の場合、ＳＴＡのユーザ位置は３に対応されることができる。ＳＴＡは、ＨＥＷ−ＳＩＧ５６０の帯域幅フィールドユーザ位置３に対応されるビットに基づいてＳＴＡに対するダウンリンク送信帯域幅の大きさに対する情報を取得することができる。即ち、その他、多様な方法に基づいて、ＳＴＡは、ＡＰからグループ識別子及びユーザ位置に対する情報に基づいてダウンリンク送信帯域幅に対する情報を取得することができる。
【０１０４】
ＳＴＡは、ＨＥＷ−ＳＩＧ５６０のＮｓｔｓフィールドで及びＳＴＡに対する空間的ストリームの個数に対する情報を取得することができる。
【０１０５】
図６は、本発明の実施例によるＨＥＷ−ＳＩＧフィールドを示す概念図である。
【０１０６】
図６の上段は、帯域幅フィールドを示す。
【０１０７】
図６の上段を参照すると、帯域幅フィールドを構成する８ビットは、２ビットずつユーザ位置の値の各々に対応されることができる。例えば、帯域幅フィールドの１番目のビット及び２番目のビットに対応されるＢＷ［０：１］６１０は、ＳＴＡのユーザ位置の値が１である場合に帯域幅の大きさに対する情報に対応され、帯域幅フィールドの３番目のビット及び４番目のビットに対応されるＢＷ［２：３］６２０は、ＳＴＡのユーザ位置の値が２である場合に帯域幅の大きさに対する情報に対応され、帯域幅フィールドの５番目のビット及び６番目のビットに対応されるＢＷ［４：５］６３０は、ＳＴＡのユーザ位置の値が３である場合に帯域幅の大きさに対する情報に対応され、帯域幅フィールドの７番目のビット及び８番目のビットに対応されるＢＷ［６：７］６４０は、ＳＴＡのユーザ位置の値が４である場合に帯域幅の大きさに対する情報に対応されることができる。即ち、一つの帯域幅フィールドは、互いに異なるユーザ位置に対応される４個のＳＴＡの各々に対する帯域幅情報を含むことができる。
【０１０８】
帯域幅フィールドに含まれる二つのビットの値が０の場合（００）は、０ＭＨｚ大きさの帯域幅の大きさを指示し、二つのビットの値が１の場合（０１）は、２０ＭＨｚ大きさの帯域幅の大きさを指示し、二つのビットの値が２の場合（１０）は、４０ＭＨｚ大きさの帯域幅の大きさを指示し、二つのビットの値が３の場合（１１）は、８０ＭＨｚ大きさの帯域幅の大きさを指示することができる。０ＭＨｚは、ＡＰによりＳＴＡにサブチャネルフォーマットＰＰＤＵが送信されないことを指示することができる。
【０１０９】
図６の下段は、Ｎｓｔｓフィールドを示す。
【０１１０】
図６の下段を参照すると、Ｎｓｔｓフィールドを構成する８ビットは、２ビットずつユーザ位置の値の各々に対応されることができる。例えば、Ｎｓｔｓフィールドの１番目のビット及び２番目のビットに対応されるＮｓｔｓ［０：１］６５０は、ＳＴＡのユーザ位置の値が１である場合に空間的ストリームの個数に対する情報に対応され、Ｎｓｔｓフィールドの３番目のビット及び４番目のビットに対応されるＮｓｔｓ［２：３］６６０は、ＳＴＡのユーザ位置の値が２である場合に空間的ストリームの個数に対する情報に対応され、Ｎｓｔｓフィールドの５番目のビット及び６番目のビットに対応されるＮｓｔｓ［４：５］６７０は、ＳＴＡのユーザ位置の値が３である場合に空間的ストリームの個数に対する情報に対応され、Ｎｓｔｓフィールドの７番目のビット及び８番目のビットに対応されるＮｓｔｓ［６：７］６８０は、ＳＴＡのユーザ位置の値が４である場合に空間的ストリームの個数に対する情報に対応されることができる。即ち、一つのＮｓｔｓフィールドは、互いに異なるユーザ位置に対応される４個のＳＴＡの各々に対する空間的ストリームの個数に対する情報を含むことができる。
【０１１１】
二つのビットの値が０の場合（００）は、１個の空間的ストリームを指示し、二つのビットの値が１の場合（０１）は、２個の空間的ストリームを指示し、二つのビットの値が２の場合（１０）は、３個の空間的ストリームを指示し、二つのビットの値が３の場合（１１）、４個の空間的ストリームを指示することができる。
【０１１２】
前述した例において、ＳＴＡのグループ識別子の値が１２であり、ＳＴＡのユーザ位置が３の場合、ＳＴＡは、帯域幅フィールド及びＮｓｔｓフィールドでユーザ位置３に対応されるビットに基づいてＳＴＡに送信されるサブチャネルフォーマットＰＰＤＵに対するチャネル帯域情報を取得し、ＳＴＡに送信される空間的ストリームの個数に対する情報を取得することができる。即ち、ＢＷ［４：５］６３０、Ｎｓｔｓ［４：５］６７０に対応されるビットを介して、ＳＴＡは、受信すべきサブチャネルフォーマットＰＰＤＵのチャネル帯域の大きさ及びサブチャネルフォーマットＰＰＤＵを送信する空間的ストリームの個数を取得することができる。ＢＷ［４：５］が０１であり、Ｎｓｔｓ［４：５］６７０が１０の場合、ＳＴＡは、２０ＭＨｚのサブチャネル帯域で３個の空間的ストリームを介してサブチャネルフォーマットＰＰＤＵを受信することができる。
【０１１３】
具体的に、ＳＴＡのグループ識別子が１２であり、ユーザ位置が１の場合、ＢＷ［０：１］６１０、Ｎｓｔｓ［０：１］６５０に対応されるビットを介して、ＳＴＡは、受信すべきサブチャネルフォーマットＰＰＤＵに対するチャネル帯域の大きさ及びサブチャネルフォーマットＰＰＤＵを送信する空間的ストリームの個数に対する情報を取得することができる。
【０１１４】
ＳＴＡのグループ識別子が１２であり、ユーザ位置が２の場合、ＢＷ［２：３］６２０、Ｎｓｔｓ［２：３］６６０に対応されるビットを介して、ＳＴＡは、受信すべきサブチャネルフォーマットＰＰＤＵに対するチャネル帯域の大きさ及びサブチャネルフォーマットＰＰＤＵを送信する空間的ストリームの個数に対する情報を取得することができる。
【０１１５】
ＳＴＡのグループ識別子が１２であり、ユーザ位置が４の場合、ＢＷ［６：７］６４０、Ｎｓｔｓ［６：７］６８０に対応されるビットを介して、ＳＴＡは、受信すべきサブチャネルフォーマットＰＰＤＵに対するチャネル帯域の大きさ及びサブチャネルフォーマットＰＰＤＵを送信する空間的ストリームの個数に対する情報を取得することができる。
【０１１６】
例えば、ＢＷ［０：１］６１０が１、ＢＷ［２：３］６２０が１、ＢＷ［４：５］６３０が０、ＢＷ［６：７］６４０が２の場合、ユーザ位置１に対応されるＳＴＡ１は、２０ＭＨｚサブチャネル帯域を介してサブチャネルフォーマットＰＰＤＵを受信する。ユーザ位置２に対応されるＳＴＡ２は、ＳＴＡ１に割り当てられた２０ＭＨｚサブチャネル帯域より高い周波数に該当する２０ＭＨｚサブチャネル帯域を介してサブチャネルフォーマットＰＰＤＵを受信することができる。ユーザ位置３に対応されるＳＴＡ３は、受信すべきサブチャネルフォーマットＰＰＤＵがないことを知るようになる。ユーザ位置４に対応されるＳＴＡ４は、ＳＴＡ２に割り当てられた２０ＭＨｚサブチャネル帯域より高い周波数に位置した４０ＭＨｚサブチャネル帯域を介してサブチャネルフォーマットＰＰＤＵを受信することができる。
【０１１７】
もし、ＢＷ［４：５］６３０が０でない場合、ＳＴＡ４は、ＳＴＡ３に割り当てられたサブチャネル帯域より高い周波数帯域に位置した４０ＭＨｚサブチャネル帯域を介してサブチャネルフォーマットＰＰＤＵを受信することができる。
【０１１８】
その他、本発明の実施例によるＳＴＡのグループ識別子及びユーザ位置に基づいて帯域幅フィールドで複数のＳＴＡの各々に対する帯域幅を決定する方法及び／またはＳＴＡのグループ識別子及びユーザ位置に基づいてＮｓｔｓフィールドで複数のＳＴＡの各々に対する空間的ストリームの個数を決定する方法は、多様に使われることができる。
【０１１９】
以下、本発明の実施例では、ＭＵ  ＭＩＭＯ−ＯＦＤＭＡ送信に対して開示する。
【０１２０】
例えば、ＭＩＭＯ−ＯＦＤＭＡにＳＤＭＡ（ＭＵ（ｍｕｌｔｉ−ｕｓｅｒ）ＭＩＭＯ）機能を追加する場合、一つのサブチャネル帯域で互いに異なるＳＴＡに互いに異なるサブチャネルフォーマットＰＰＤＵを送信することができる。
【０１２１】
図７は、本発明の実施例によるＭＵ  ＭＩＭＯ−ＯＦＤＭＡ送信を示す概念図である。
【０１２２】
図７を参照すると、一つのサブチャネル帯域で複数のＳＴＡに互いに異なるサブチャネルフォーマットＰＰＤＵを送信することができる。説明の便宜上、全体チャネル帯域が第１のサブチャネル帯域７１０及び第２のサブチャネル帯域７２０を含むと仮定する。
【０１２３】
ＡＰは、第１のサブチャネル帯域７１０を介してＭＵ−ＭＩＭＯ送信方法に基づいて、ＳＴＡ１に第１のサブチャネルフォーマットＰＰＤＵ７５０を送信し、ＳＴＡ２に第２のサブチャネルフォーマットＰＰＤＵ７６０を送信することができる。
【０１２４】
ＡＰは、第２のサブチャネル帯域７２０を介してＭＵ−ＭＩＭＯ送信方法に基づいて、ＳＴＡ３に第３のサブチャネルフォーマットＰＰＤＵ７７０を送信し、ＳＴＡ４に第４のサブチャネルフォーマットＰＰＤＵ７８０を送信することができる。
【０１２５】
ＭＵ−ＭＩＭＯは、同じサブチャネル帯域を介して複数のターゲット端末の各々（例えば、ターゲットＳＴＡ）へ向かうサブチャネルフォーマットＰＰＤＵ間の空間的直交性（ｓｐａｔｉａｌ  ｏｒｔｈｏｇｏｎａｌｉｔｙ）のために複数のアンテナにプリコーディング（ｐｒｅｃｏｄｉｎｇ）を適用することができる。
【０１２６】
本発明の実施例によると、ＡＰは、多様な送信方法に基づいてサブチャネルフォーマットＰＰＤＵを送信することができる。サブチャネルフォーマットＰＰＤＵの送信方法に対する情報がサブチャネルフォーマットＰＰＤＵのフィールドに含まれることができる。
【０１２７】
例えば、サブチャネルフォーマットＰＰＤＵのＨＥＷ−ＳＩＧは、サブチャネルフォーマットＰＰＤＵの送信方法に対する情報を含むことができる。例えば、ＨＥＷ−ＳＩＧは、下位フィールドとしてＨＥＷ  ＰＰＤＵタイプフィールド（ＨＥＷ  ＰＰＤＵ  Ｔｙｐｅ  ｆｉｅｌｄ）を含むことができる。ＨＥＷ  ＰＰＤＵタイプフィールドは、ＳＵ−ＭＩＭＯ、ＭＵ−ＭＩＭＯ、ＭＩＭＯ−ＯＦＤＭＡ及びＭＵ−ＭＩＭＯ−ＯＦＤＭＡのうちサブチャネルフォーマットＰＰＤＵの送信時に使われた一つの送信方法を指示することができる。具体的に、ＨＥＷ  ＰＰＤＵタイプフィールドの値が０の場合、サブチャネルフォーマットＰＰＤＵがＳＵ−ＭＩＭＯに基づいて送信され、ＨＥＷ  ＰＰＤＵタイプフィールドの値が１の場合、サブチャネルフォーマットＰＰＤＵがＭＵ−ＭＩＭＯに基づいて送信され、サブチャネルフォーマットＨＥＷ  ＰＰＤＵタイプフィールドの値が２の場合、サブチャネルフォーマットＰＰＤＵがＭＩＭＯ−ＯＦＤＭＡに基づいて送信され、ＨＥＷ  ＰＰＤＵタイプフィールドの値が３の場合、サブチャネルフォーマットＰＰＤＵがＭＵ−ＭＩＭＯ−ＯＦＤＭＡに基づいて送信されることを指示することができる。
【０１２８】
ＨＥＷ  ＰＰＤＵタイプフィールドの値が２の場合とＨＥＷ  ＰＰＤＵタイプフィールドの値が３の場合、ＨＥＷ−ＳＩＧの下位フィールドである帯域幅フィールドが異なるように解析されることができる。
【０１２９】
帯域幅フィールドが８ビットであり、各々の２ビット単位に４個のＳＴＡの各々に対する帯域幅を指示することができる。前述したように、００（０）は、０ＭＨｚのサブチャネル帯域を指示し、０１（１）は、２０ＭＨｚのサブチャネル帯域を指示し、１０（２）は、４０ＭＨｚのサブチャネル帯域を指示し、及び１１（３）は、８０ＭＨｚのサブチャネル帯域を指示することができる。
【０１３０】
ＨＥＷ  ＰＰＤＵタイプが２の場合、前述したように、各々のサブチャネル帯域は、互いに重ならない帯域である。
【０１３１】
ＨＥＷ  ＰＰＤＵタイプが３の場合、プライマリ２０ＭＨｚチャネルを基準にして各々のＰＰＤＵが送信されるサブチャネル帯域が決定されることができる。ＨＥＷ  ＰＰＤＵタイプが３の場合、ＰＰＤＵの送信のためのチャネル帯域幅が重なることができる。
【０１３２】
図８は、本発明の実施例によるＭＵ  ＭＩＭＯ−ＯＦＤＭＡ送信を示す概念図である。
【０１３３】
図８では、帯域幅フィールドのＢＷ［０：１］が１、ＢＷ［２：３］が２、ＢＷ［４：５］が０、ＢＷ［６：７］が３の場合に対して開示する。帯域幅フィールドの値が１の場合は、２０ＭＨｚサブチャネル帯域を意味し、帯域幅フィールドの値が２の場合は、４０ＭＨｚサブチャネル帯域を意味し、帯域幅フィールドの値が０の場合は、０ＭＨｚサブチャネル帯域を意味し、及び帯域幅フィールドの値が３の場合は、８０ＭＨｚサブチャネル帯域を意味する。図８を参照すると、プライマリ２０ＭＨｚチャネル、プライマリ４０ＭＨｚチャネル、プライマリ８０ＭＨｚチャネル間の相関関係が示されている。
【０１３４】
第１のユーザ位置に該当するＳＴＡ１は、ＡＰからプライマリ２０ＭＨｚチャネル８１０を介して第１のサブチャネルフォーマットＰＰＤＵ８５０を受信することができる。
【０１３５】
第２のユーザ位置に該当するＳＴＡ２は、ＡＰからＳＴＡ１に割り当てられたプライマリ２０ＭＨｚチャネルを含むプライマリ４０ＭＨｚチャネル８２０を介して第２のサブチャネルフォーマットＰＰＤＵ８６０を受信することができる。
【０１３６】
第３のユーザ位置に該当するＳＴＡ３は、受信すべきＰＰＤＵがないことを知ることができる。
【０１３７】
第４のユーザ位置に該当するＳＴＡ４は、ＡＰからＳＴＡ２に割り当てられたプライマリ４０ＭＨｚチャネルを含むプライマリ８０ＭＨｚチャネル８４０を介して第４のサブチャネルフォーマットＰＰＤＵ８７０を受信することができる。
【０１３８】
図９は、本発明の実施例によるコーディングフィールドを示す概念図である。
【０１３９】
図９を参照すると、ＨＥＷ−ＳＩＧに含まれるコーディングフィールドは、４ビットで構成されることができる。
【０１４０】
コーディングフィールドを構成する各々のビットは、各々のユーザ位置に対応されるＳＴＡに送信されるＰＳＤＵに対するコーディング方法に対する情報を含むことができる。例えば、コーディングフィールドを構成する各々のビットが１か０かによって、ＢＣＣ（ｂｉｎａｒｙ  ｃｏｎｖｏｌｕｔｉｏｎａｌ  ｃｏｄｅｓ）またはＬＤＰＣ（ｌｏｗ  ｄｅｎｓｉｔｙ  ｐａｒｉｔｙ  ｃｈｅｃｋ）が指示されることができる。
【０１４１】
コーディングフィールドの１番目のビットであるＣｏｄｉｎｇ［０］９００は、ユーザ位置１に対応されるＳＴＡに送信されるＰＳＤＵのコーディング方法に対する情報を含むことができる。
【０１４２】
コーディングフィールドの２番目のビットであるＣｏｄｉｎｇ［１］９１０は、ユーザ位置２に対応されるＳＴＡに送信されるＰＳＤＵのコーディング方法に対する情報を含むことができる。
【０１４３】
コーディングフィールドの３番目のビットであるＣｏｄｉｎｇ［２］９２０は、ユーザ位置３に対応されるＳＴＡに送信されるＰＳＤＵのコーディング方法に対する情報を含むことができる。
【０１４４】
コーディングフィールドの４番目のビットであるＣｏｄｉｎｇ［３］９３０は、ユーザ位置４に対応されるＳＴＡに送信されるＰＳＤＵのコーディング方法に対する情報を含むことができる。
【０１４５】
ＡＰは、４ビットのコーディングフィールドを介して、各々のサブチャネル帯域を介して送信されるＰＳＤＵのコーディング方法に対する情報を送信することができる。サブチャネル帯域を介して送信されるＰＳＤＵに対して互いに異なるコーディング方法が適用されることができる。
【０１４６】
図１０は、本発明の実施例によるＰＳＤＵで使われるガードインターバルのタイプを示す概念図である。
【０１４７】
図１０では、ＰＳＤＵで使われるガードインターバル（ｇｕａｒｄ  ｉｎｔｅｒｖａｌ）のタイプを開示する。
【０１４８】
図１０の上段では、ＰＳＤＵでＬＧＩ１０００が使われる場合に対して開示する。ＰＳＤＵでＬＧＩ１０００が使われる場合、一つのＯＦＤＭシンボルは、０．８ｕｓのガードインターバルと３．２ｕｓのデータインターバルを含むことができる。
【０１４９】
図１０の中段では、ＰＳＤＵでＳＧＩ１０２０が使われる場合に対して開示する。ＰＳＤＵでＳＧＩ１０２０が使われる場合、一つのＯＦＤＭシンボルは、０．４ｕｓのガードインターバルと３．６ｕｓのデータインターバルを含むことができる。ＰＳＤＵでＳＧＩ１０２０が使われる場合、ＬＧＩよりガードインターバルが減って送信カバレッジが減るが、データ送信効率は増加できる。
【０１５０】
図１０の下段では、ＰＳＤＵでＤＧＩ１０４０が使われる場合に対して開示する。ＰＳＤＵでＤＧＩ１０４０が使われる場合、一つのＯＦＤＭシンボルは、１．２ｕｓのガードインターバルと３．２ｕｓのデータインターバルを含むことができる。ＰＳＤＵでＤＧＩ１０４０が使われる場合、ＬＧＩよりガードインターバルが増えて送信カバレッジが増えるが、データ送信効率は減少できる。
【０１５１】
ＰＳＤＵでＤＧＩ１０４０が使われる場合、ミッドパケット（ｍｉｄ−ｐａｃｋｅｔ）ＣＣＡ（ｃｌｅａｒ  ｃｈａｎｎｅｌ  ａｓｓｅｓｓｍｅｎｔ）を実行するレガシＳＴＡは、ＤＧＩを含むＯＦＤＭシンボルを探知することができない。
【０１５２】
ミッドパケットＣＣＡは、セカンダリチャネルに対するＣＣＡメカニズムである。ミッドパケットＣＣＡは、ＰＩＦＳ時間の間に（５ＧＨｚの周波数帯域である場合、２５ｕｓ）ＯＦＤＭシンボルのガードインターバルを測定することができる。ミッドパケットＣＣＡでは、０．８ｕｓまたは０．４ｕｓのガードインターバルが一定シグナル強度（ｓｉｇｎａｌ  ｓｔｒｅｎｇｔｈ）以上に検出されると、該当チャネルがビジー（ｂｕｓｙ）と判断することができる。
【０１５３】
しかし、ＤＧＩ１０４０が使われる場合、ガードインターバルが１．２ｕｓになる。したがって、ミッドパケットＣＣＡを実行するレガシＳＴＡは、０．８ｕｓまたは０．４ｕｓのガードインターバルｚを検出できなくなる。結果的に、セカンダリチャネルが実際使用中にもかかわらず、ＳＴＡは、セカンダリチャネルの状態をアイドル（ｉｄｌｅ）と決定できる。
【０１５４】
このような問題点を解決するために、本発明の実施例によると、ＰＳＤＵでＤＧＩ１０４０が使われる場合、ＰＳＤＵは、ＰＩＦＳの時間間隔内に少なくとも一回以上のＬＧＩ（または、ＳＧＩ）１０６０で構成されたＯＦＤＭシンボルを介して送信されることができる。このような方法を使用する場合、ミッドパケットＣＣＡを実行するレガシＳＴＡは、ＰＩＦＳの時間間隔内に少なくとも一回はＬＧＩ（または、ＳＧＩ）１０６０を検出することができる。したがって、ＰＳＤＵでＤＧＩ１０４０が使われる場合にも、レガシＳＴＡは、チャネルの状態を正確に判断することができるようになる。
【０１５５】
即ち、複数のサブチャネルフォーマットＰＰＤＵの各々は、ＰＳＤＵを含み、ＰＳＤＵの送信のために使われるガードインターバルは、ＬＧＩ、ＳＧＩ及びＧＩ組合せのうち一つである。このとき、ＧＩ組合せは、ＬＧＩ及び前記ＳＧＩのうち一つのＧＩとＤＧＩとの組合せである。
【０１５６】
ＧＩ組合せにおいて、ＬＧＩ及び前記ＳＧＩのうち一つのＧＩは、前記ＰＳＤＵの送信のための全体ＯＦＤＭシンボルでＰＩＦＳ（ＰＣＦ（ｐｏｉｎｔ  ｃｏｏｒｄｉｎａｔｉｏｎ  ｆｕｎｃｔｉｏｎ）ｉｎｔｅｒ  ｆｒａｍｅ  ｓｙｍｂｏｌ）間隔に対応する複数のＯＦＤＭシンボルのうち少なくとも一つのＯＦＤＭシンボルを構成することができる。ＧＩ組合せにおいて、ＤＧＩは、全体シンボルのうちＬＧＩ及び前記ＳＧＩのうち一つのＧＩのための少なくとも一つのＯＦＤＭシンボルを除外した残りのＯＦＤＭシンボルを構成することができる。
【０１５７】
図１１は、本発明の実施例によるサブチャネルフォーマットＰＰＤＵ間の時間同期化を示す概念図である。
【０１５８】
ＨＥＷ−ＳＩＧまたはＨ−ＳＩＧフィールドのようなシグナルフィールドは、ＧＩタイプフィールドとＧＩ明確化フィールド（ＧＩ  ｄｉｓａｍｂｉｇｕａｔｉｏｎ  ｆｉｅｌｄ）を含むことができる。
【０１５９】
以下の表４は、ＧＩタイプフィールドを示す。
【０１６０】
【表５】
0006310081.tif 000007
【０１６１】
以下の表５は、ＧＩ明確化フィールドを示す。
【０１６２】
【表６】
0006310081.tif 000008
【０１６３】
ＧＩタイプフィールドとＧＩ明確化フィールドがＨＥＷ−ＳＩＧに含まれる場合、複数のサブチャネル帯域の各々を介して送信されるＰＳＤＵは、同じガードインターバルを使用することができる。
【０１６４】
もし、複数のサブチャネル帯域の各々を介して送信されるＰＳＤＵのガードインターバルが互いに異なる値を使用するためには、ＧＩタイプフィールドとＧＩ明確化フィールドは、ユーザ特定情報を伝達するためにＨＥＷ−ＳＩＧの以後に位置したＨ−ＳＩＧフィールドに含まれることができる。
【０１６５】
図１１を参照すると、ＳＧＩまたはＤＧＩを使用したＰＳＤＵが送信される時、ＰＳＤＵの最後のＯＦＤＭシンボルがＬＧＩを使用する４ｕｓのＯＦＤＭシンボルの境界と一致しない。
【０１６６】
ＳＧＩを使用したＰＳＤＵ１１００を送信する時、ＰＳＤＵは、時間リソース上で３．６ｕｓの倍数で割り当てられることができる。ＬＧＩを使用したＰＳＤＵを送信する時、ＰＳＤＵは、時間リソース上で４ｕｓの倍数で割り当てられることができる。したがって、複数のサブチャネルフォーマットＰＰＤＵで互いに異なる長さのガードインターバルを使用する場合、ＰＰＤＵの終了境界が一致しない。
【０１６７】
ＧＩ明確化フィールドは、ＳＧＩまたはＤＧＩを使用したＰＳＤＵを送信するための最後のＯＦＤＭシンボルの送信終了タイミングとＬＧＩを使用するＰＳＤＵを送信するためのＯＦＤＭシンボルの境界のマッピング可否を指示するために使われることができる。互いに異なるＧＩを使用するＯＦＤＭシンボル間の境界をマッピングするためには、パディングビットのような追加的なビットが使われることができる。または、ＧＩ明確化フィールドは、ＳＧＩまたはＤＧＩを使用したＰＳＤＵを送信するためのＯＦＤＭシンボルの個数を明示的に指示するために使われることもできる。
【０１６８】
ＧＩタイプフィールドとＧＩ明確化は、以下の表６のように表現されることもできる。
【０１６９】
【表７】
0006310081.tif 000009
【０１７０】
即ち、ＧＩタイプによって、ＬＧＩを使用する場合、ＬＧＩで構成される４ｕｓのＯＦＤＭシンボルの境界とマッピングされるように、ＳＧＩまたはＤＧＩで構成されるＯＦＤＭシンボルタイミングを合わせることができる。
【０１７１】
図１２は、本発明の実施例が適用されることができる無線装置を示すブロック図である。
【０１７２】
図１２を参照すると、無線装置１２００は、前述した実施例を実現することができるＳＴＡであり、ＡＰ１２５０または非ＡＰ  ＳＴＡ（ｎｏｎ−ＡＰ  ｓｔａｔｉｏｎ）（または、ＳＴＡ）１２００である。
【０１７３】
ＳＴＡ１２００は、プロセッサ１２１０、メモリ１２２０及びＲＦ部（ｒａｄｉｏ  ｆｒｅｑｕｅｎｃｙ  ｕｎｉｔ）１２３０を含む。
【０１７４】
ＲＦ部１２３０は、プロセッサ１２２０と連結して無線信号を送信／受信することができる。
【０１７５】
プロセッサ１２２０は、本発明で提案されたＳＴＡの機能、過程及び／または方法を実現する。例えば、プロセッサ１２２０は、前述した本発明の実施例による無線装置の動作を実行するように実現されることができる。プロセッサは、図３乃至図１１の実施例で開示したＳＴＡの動作を実行することができる。
【０１７６】
例えば、プロセッサ１２２０は、ＭＩＭＯ−ＯＦＤＭＡフォーマットＰＰＤＵに含まれているＳＴＡに対するサブチャネルフォーマットＰＰＤＵを受信することができる。
【０１７７】
また、プロセッサ１２２０は、シグナルフィールドに含まれているグループ識別子情報、帯域幅情報及びＮｓｔｓ情報を受信し、グループ識別子情報に基づいてサブチャネルフォーマットＰＰＤＵの受信可否を決定し、帯域幅情報に基づいてＳＴＡに対するサブチャネルフォーマットＰＰＤＵに割り当てられたチャネル帯域に対する情報を取得し、Ｎｓｔｓ情報に基づいてＳＴＡに対するサブチャネルフォーマットＰＰＤＵに割り当てられた空間的ストリームの個数に対する情報を取得するように実現されることができる。
【０１７８】
ＡＰ１２５０は、プロセッサ１２６０、メモリ１２７０及びＲＦ部（ｒａｄｉｏ  ｆｒｅｑｕｅｎｃｙ  ｕｎｉｔ）１２８０を含む。
【０１７９】
ＲＦ部１２８０は、プロセッサ１２６０と連結して無線信号を送信／受信することができる。
【０１８０】
プロセッサ１２６０は、本発明で提案された機能、過程及び／または方法を実現する。例えば、プロセッサ１２２０は、前述した本発明の実施例による無線装置の動作を実行するように実装されることができる。プロセッサは、図３乃至図１１の実施例でＡＰの動作を実行することができる。
【０１８１】
例えば、プロセッサ１２６０は、ＭＩＭＯ−ＯＦＤＭＡフォーマットＰＰＤＵを生成し、ＭＩＭＯ−ＯＦＤＭＡフォーマットＰＰＤＵを前記複数のＳＴＡに送信するように実装されることができる。ＭＩＭＯ−ＯＦＤＭＡフォーマットＰＰＤＵは、時間上に同期化された複数のサブチャネルフォーマットＰＰＤＵを含み、複数のサブチャネルフォーマットＰＰＤＵの各々は、複数のサブチャネル帯域の各々を介して複数のＳＴＡの各々に送信され、複数のサブチャネルフォーマットＰＰＤＵの各々に含まれているＭＩＭＯ送信のためのトレーニングフィールドの個数は同じである。
【０１８２】
プロセッサ１２１０、１２６０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路、データ処理装置及び／またはベースバンド信号及び無線信号を相互変換する変換器を含むことができる。メモリ１２２０、１２７０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。ＲＦ部１２３０、１２８０は、無線信号を送信及び／または受信する一つ以上のアンテナを含むことができる。
【０１８３】
実施例がソフトウェアで実装される時、前述した技法は、前述した機能を遂行するモジュール（過程、機能など）で実装されることができる。モジュールは、メモリ１２２０、１２７０に格納され、プロセッサ１２１０、１２６０により実行されることができる。メモリ１２２０、１２７０は、プロセッサ１２１０、１２６０の内部または外部にあり、よく知られた多様な手段でプロセッサ１２１０、１２６０と連結されることができる。
【図１】
0006310081.tif 000010
【図２】
0006310081.tif 000011
【図３】
0006310081.tif 000012
【図４】
0006310081.tif 000013
【図５】
0006310081.tif 000014
【図６】
0006310081.tif 000015
【図７】
0006310081.tif 000016
【図８】
0006310081.tif 000017
【図９】
0006310081.tif 000018
【図１０】
0006310081.tif 000019
【図１１】
0006310081.tif 000020
【図１２】
0006310081.tif 000021